(57)【要約】      （修正有）【課題】坪量を８１ｇ／ｍ２以下のクラフト紙を用いても、十分な強度で、折り畳みが容易な二層構造の重包装紙袋を提供する。【解決手段】一端側の封かん部１１と他端側の充填口１２とを有する重包装紙袋であって、この重包装紙袋は、内側クラフト紙と外側クラフト紙１３の二層構造になっており、前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、前記外側クラフト紙、前記内側クラフト紙の両方が、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋である。【選択図】図１
0003204670.tif 000002
【実用新案登録請求の範囲】
【請求項１】
一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記外側クラフト紙の、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【請求項２】
一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記内側クラフト紙の、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【請求項３】
一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記外側クラフト紙、前記内側クラフト紙の両方が、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【請求項４】
前記外側クラフト紙の、袋の縦方向の引張強さと袋の横方向の引張破断伸びの積が３５以上である請求項１〜３の何れかに記載の重包装紙袋。
【請求項５】
前記外側クラフト紙の、袋の縦方向の引張強さと袋の横方向の引張破断伸びの積が４５以上である請求項１〜４の何れかに記載の重包装紙袋。
【請求項６】
前記外側クラフト紙の、袋の縦方向の引張強さが５ｋＮ／ｍ以上である請求項１〜５の何れかに記載の重包装紙袋。
【請求項７】
前記外側クラフト紙の、袋の縦方向の引張強さが５．５ｋＮ／ｍ以上である請求項１〜６の何れかに記載の重包装紙袋。
【請求項８】
前記外側クラフト紙の、袋の横方向の引張破断伸びが５．０％以上である請求項１〜７の何れかに記載の重包装紙袋。
【請求項９】
前記外側クラフト紙の、袋の横方向の引張破断伸びが５．５％以上である請求項１〜８の何れかに記載の重包装紙袋。
【請求項１０】
前記外側クラフト紙の、袋の縦方向の引張破断伸びが５％以下である請求項１〜９の何れかに記載の重包装紙袋。
【請求項１１】
前記外側クラフト紙および前記内側クラフト紙の、坪量が８１ｇ／ｍ２以下、６９ｇ／ｍ２以上である請求項１〜１０の何れかに記載の重包装紙袋。
【請求項１２】
前記外側クラフト紙および前記内側クラフト紙の、坪量が７８ｇ／ｍ２以下、６９ｇ／ｍ２以上である請求項１〜１１の何れかに記載の重包装紙袋。
【請求項１３】
前記外側クラフト紙および前記内側クラフト紙が、未晒クラフト紙で請求項１〜１２の何れかに記載の重包装紙袋。
【請求項１４】
前記重包装紙袋の長さが７５０ｍｍ以上、１０００ｍｍ以下であり、胴幅が４００ｍｍ以上６００ｍｍ以下である請求項１〜１３の何れかに記載の重包装紙袋。
【請求項１５】
重包装紙袋が、紙バンド付片底ばり構造である請求項１〜１４の何れかに記載の重包装紙袋。
【請求項１６】
穀物類を内包するための重包装紙袋である請求項１〜１５の何れかに記載の重包装紙袋。
【考案の詳細な説明】
【技術分野】
【０００１】
本考案は、粉粒体などを収容するための重包装紙袋に関する。
【背景技術】
【０００２】
重包装紙袋は、米や麦など穀物類やジャガイモ、ニンジンといった農産物、或いは肥料、化学薬品、セメント、石膏などの工業用粉類、更には廃棄物など、幅広い用途に用いられている。紙製の包装袋としては、クラフト紙が用いられているが、例えば、３０ｋｇを超えるような内包物を充填する重包装紙袋の場合、クラフト紙を三層以上重ねて使用されている。しかし、三層以上に積層された重包装紙袋は、使用前は小さく折り畳んで保管することが困難である。また使用後は廃棄物となることから、二層に積層された重包装紙袋で、３０ｋｇを超えるような内装物を充填した場合でも耐えうるような重包装紙袋が望まれている。
【先行技術文献】
【特許文献】
【０００３】
【特許文献１】特開２００７−９１３２６号公報
【特許文献２】実用新案登録３１８９８６５号公報
【考案の概要】
【考案が解決しようとする課題】
【０００４】
特許文献１には、クラフト伸張紙を用いることで、強度の高い二層構造の包装紙袋を提案しているが、引張り破断伸びが１０％以上という特殊なクラフト紙であり、高価なものである。特許文献２には、クラフト紙の間に補強用のシートを備える重包装紙袋を提案しているが、構造が複雑であるから、製造が困難であり、また、高価な重包装紙袋となる。
本考案者等は、クラフト紙を用いた二層構造の重包装紙袋について、鋭意研究を行った。坪量が８１ｇ／ｍ２を超えるようなクラフト紙を用いると強度は高くなるが、折り畳み難くなる。
坪量が８１ｇ／ｍ２以下のクラフト紙を用いると、強度が弱く、使用の際に袋が裂けてしまい、内容物が出てしまう場合もあった。本考案者等は、坪量を８１ｇ／ｍ２以下のクラフト紙を用い、十分な強度で、折り畳みが容易な二層構造の重包装紙袋を提供すべく、更に研究を重ねた結果、特定の条件を満足するクラフト紙を採用することにより達成できることを見出したのである。
【課題を解決するための手段】
【０００５】
本考案のクラフト紙を用いた二層構造の重包装紙袋は、次のとおりである。
（１）  一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記外側クラフト紙の、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【０００６】
（２）一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記内側クラフト紙の、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【０００７】
（３）一端側の封かん部と他端側の充填口とを有する重包装紙袋であって、
この重包装紙袋は、内側クラフト紙と外側クラフト紙の二層構造になっており、
前記内側クラフト紙および前記外側クラフト紙は、坪量が８１ｇ／ｍ２以下、且つ袋の縦方向の引張破断伸び（ＪＩＳ  Ｐ  ８１１３）が９．５％以下であり、
前記外側クラフト紙、前記内側クラフト紙の両方が、袋の縦方向の引張強さ（ＪＩＳ  Ｐ  ８１１３）と袋の横方向の引張破断伸び（ＪＩＳ  Ｐ  ８１１３）の積が２５以上であることを特徴とする重包装紙袋。
【０００８】
（４）  前記外側クラフト紙の、袋の縦方向の引張強さと袋の横方向の引張破断伸びの積が３５以上である（１）〜（３）の何れかに記載の重包装紙袋。
（５）  前記外側クラフト紙の、袋の縦方向の引張強さと袋の横方向の引張破断伸びの積が４５以上である（１）〜（４）の何れかに記載の重包装紙袋。
【０００９】
（６）  前記外側クラフト紙の、袋の縦方向の引張強さが５ｋＮ／ｍ以上である（１）〜（５）の何れかに記載の重包装紙袋。
（７）  前記外側クラフト紙の、袋の縦方向の引張強さが５．５ｋＮ／ｍ以上である（１）〜（６）の何れかに記載の重包装紙袋。
【００１０】
（８）  前記外側クラフト紙の、袋の横方向の引張破断伸びが５．０％以上である（１）〜（７）の何れかに記載の重包装紙袋。
（９）  前記外側クラフト紙の、袋の横方向の引張破断伸びが５．５％以上である（１）〜（８）の何れかに記載の重包装紙袋。
【００１１】
（１０)  前記外側クラフト紙の、袋の縦方向の引張破断伸びが５％以下である（１）〜（９）の何れかに記載の重包装紙袋。
【００１２】
（１１）  前記外側クラフト紙および前記内側クラフト紙の、坪量が８１ｇ／ｍ２以下である（１）〜（１０）の何れかに記載の重包装紙袋。
（１２）  前記外側クラフト紙および内側クラフト紙の、坪量が７８ｇ／ｍ２以下である（１）〜（１１）の何れかに記載の重包装紙袋。
【００１３】
（１３）  前記外側クラフト紙および前記内側クラフト紙が、未晒クラフト紙で（１）〜（１２）の何れかに記載の重包装紙袋。
【００１４】
（１４）  前記重包装紙袋の長さが７５０ｍｍ以上、１０００ｍｍ以下であり、胴幅が４００ｍｍ以上６００ｍｍ以下である（１）〜（１３）の何れかに記載の重包装紙袋。
【００１５】
（１５）  重包装紙袋が、紙バンド付片底ばり構造である（１）〜（１４）の何れかに記載の重包装紙袋。
【００１６】
（１６）  穀物類を内包するための重包装紙袋である（１）〜（１５）の何れかに記載の重包装紙袋。
【考案の効果】
【００１７】
本考案の重包装紙袋によると、坪量が８１ｇ／ｍ２以下のクラフト紙を用いた二層構造の袋であるにもかかわらず、３０ｋｇの米を充填し、取り扱いをしても裂ける事なく安心して使用することができる。また、使用前は容易に折りたたんで保管することができる。更に、使用後廃棄する場合、三層積層していた袋が二層となるので、おおよそ２／３に廃棄物量が減ることとなる。
【図面の簡単な説明】
【００１８】
【図１】本考案による重包装紙袋を米袋に応用した一実施形態の使用状態における外観を表す立体投影図である。
【図２】図１に示した米袋の外観を充填口側から見た立体投影図である。
【図３】図１に示した米袋の外観を封かん部側から見た立体投影図である。
【図４】図２中のＩＶ−ＩＶ矢視に沿った断面図である。
【図５】図３中のＶ−Ｖ矢視に沿った断面図である。
【考案を実施するための形態】
【００１９】
本考案による重包装紙袋を３０ｋｇ用の米袋に応用した実施形態について、図１〜図５を参照しながら詳細に説明する。しかしながら、本考案はこのような実施形態のみに限らず、充填物の種類やその使用形態などに応じて充填口や封かん口などを従来から周知の構成へと任意に変更し得るものである。
【００２０】
本実施形態による米袋の使用状態を模式的に表す図１およびこの米袋の外観をそれぞれ表す図２，図３に示すように、本実施形態における米袋１０は、一端側の封かん部１１と他端側の充填口１２とを有するひだなし片底はり構造を採用している。図２中のＩＶ−ＩＶ矢視断面形状を図４に示し、図３中のＶ−Ｖ矢視断面形状を図５に示す。
米袋１０は、内側クラフト紙１４と、外側クラフト紙１３とを具えている。米袋１０の裏面１０Ｒ側には外側クラフト紙１３の貼合部１３ｇと内側クラフト紙１４の貼合部１４ｇとが配されているが、これら２つの貼合部１３ｇ，１４ｇは、相互に重なり合わないように米袋１０の幅方向に沿ってずらして形成されている。
【００２１】
この重包装紙袋は、内側クラフト紙１４と外側クラフト紙１３の二層構造になっている。内側クラフト紙および外側クラフト紙は、坪量が８１ｇ／ｍ２以下であり、袋の縦方向の引張破断伸び（ＪＩＳ  Ｐ  ８１１３）が９．５％以下であれば特に限定するものではない。好ましい坪量は８１ｇ／ｍ２以下であり、より好ましい坪量は７８ｇ／ｍ２以下である。坪量の下限値は特に限定するものではないが、後で述べる袋の縦方向の引張強さと袋の横方向の引張破断伸びの積が２５以上を満足する必要がある。従って、６９ｇ／ｍ２以上の坪量とすることが好ましい。
【００２２】
一方、好ましい袋の縦方向の引張破断伸びは５％以下である。袋の縦方向の引張り破断伸びが5％以下とすることにより、コストを低減できるばかりか、袋の剛度が低下し、袋が折れ曲がりやすくなるために充填に支障をきたすことを効率よく防ぐことができる。
【００２３】
クラフト紙の原料パルプとしては、例えば針葉樹晒クラフトパルプ（ＮＢＫＰ）、広葉樹晒クラフトパルプ（ＬＢＫＰ）、針葉樹未晒クラフトパルプ（ＮＵＫＰ）、広葉樹未晒クラフトパルプ（ＬＵＫＰ）、針葉樹半晒クラフトパルプ（ＮＳＢＫＰ）、広葉樹半晒クラフトパルプ（ＬＳＢＫＰ）等の化学パルプを用いるが、茶古紙やクラフト封筒古紙から製造される古紙パルプを用いてもよい。更に、ストーングランドパルプ（ＳＧＰ）、加圧ストーングランドパルプ（ＰＧＷ）、リファイナーグランドパルプ（ＲＧＰ）、サーモグランドパルプ（ＴＧＰ）、ケミグランドパルプ（ＣＧＰ）、砕木パルプ（ＧＰ）、サーモメカニカルパルプ（ＴＭＰ）等の機械パルプ、古紙パルプ等の公知の種々のパルプを併用してもよい。中でも、袋の縦方向の引張強さと袋の横方向の引張破断伸びの積の値を高めるためには、ＮＢＫＰやＮＵＫＰ、ＮＳＢＫＰなど、針葉樹クラフトパルプを主成分として用いることが好ましく、特にＮＵＫＰの使用が好ましい。
【００２４】
内側クラフト紙１４と外側クラフト紙１３は、図示はしないが、全域を接着剤により接合していてもよく、部分的に接着剤により接合していてもよく、また接合されていなくてもよい。しかし、全領域、或いは少なくとも複数の領域で、内側クラフト紙１４と外側クラフト紙１３を接着剤により接合することが、強度の面から優位となり、好ましい。接着剤としては、重包装紙袋の底ばり用に使用される公知の材料を使用することができる。
【００２５】
袋の大きさは、２０ｋｇ、３０ｋｇといった重量の米などを内包できるものであれば特に限定するものではないが、前記重包装紙袋の長さが７５０ｍｍ以上、胴幅が４００ｍｍ以上であることが好ましい。上限については特に限定するものではないが、取り扱いの点から、袋の長さは１０００ｍｍ以下であり、胴幅が６００ｍｍ以下であることが好ましい。
【００２６】
本考案の第１の実施態様は、外側クラフト紙の、袋の縦方向の引張強さと袋の横方向の引張破断伸びの積が２５以上であることである。
本考案の第２の実施態様は、内側クラフト紙の、袋の縦方向の引張強さと袋の横方向の引張破断伸びの積が２５以上であることである。
本考案の第３の実施態様は、外側クラフト紙および内側クラフト紙の両方が、袋の縦方向の引張強さと袋の横方向の引張破断伸びの積が２５以上であることである。
【００２７】
本考案でいう引張強さおよび引張破断伸びは、ＪＩＳ  Ｐ  ８１１３に規定されている。また、袋の縦方向とは、袋の一端側の封かん部―他端側の充填口の方向、即ち袋の長さの方向であり、袋の横方向とは、縦方向に直交する方向、即ち袋の胴幅の方向である。
袋の縦方向の引張強さと袋の横方向の引張破断伸びの積が２５に満たないと、胴部分や縦方向に裂けたり、封かん部の周辺が裂けたりし易くなる。袋の縦方向の引張強さと袋の横方向の引張破断伸びの積は、３５以上であることが好ましく、４５以上であることが特に好ましい。
【００２８】
袋の縦方向の引張強さと袋の横方向の引張破断伸びの積が２５以上とするためには、市場に出ている様々なクラフト紙のなかで、積が２５以上となるものを選択使用すればよい。クラフト紙の、袋の縦方向の引張強さは、５ｋＮ／ｍ以上であることが好ましく、５．５ｋＮ／ｍ以上であることが更に好ましい。クラフト紙の、袋の横方向の引張破断伸びは、５．０％以上であることが好ましく、５．５％以上であることが更に好ましい。
【００２９】
なお、本考案の重包装紙袋の表面或いは裏面には、ロゴマーク、写真、図案、内容物、生産者等を適宜印刷した印刷部を有してもよい。また、袋を滑りにくくするために、コロイダルシリカ系無機物やスチレン・アクリル系重合体などの公知の防滑剤による防滑処理を施されていてもよい。
【実施例】
【００３０】
以下に、具体例を挙げて本考案を説明するが、本考案はこれらによって制約を受けるものではない。
【００３１】
「クラフト紙の準備」
市販されているクラフト紙を用意し、その物性を表１に示す。なお、引張り強さ、引張り破断伸び、引裂き強さをＪＩＳ  Ｐ  ８１１３に基づいて測定した。
【００３２】
【表１】
0003204670.tif 000003
【００３３】
内側クラフト紙と外側クラフト紙は同じクラフト紙を用い、Ａ方向を縦方向、Ｂ方向を横方向となるようにして、図２〜図５に示す重包装紙袋を製造した。袋の幅は４９０ｍｍ、長さは８００ｍｍとした。
得られた重包装紙袋に米を３０ｋｇ充填し、充填口を縛り、図１の状態にした。
充填した袋を水平状態（袋の裏面１０Ｒを下面）にして、高さ１．２ｍの位置から落下させた。この落下試験はＪＩＳ  Ｚ０２１７に従って行った。その試験結果を表２に示す。
【００３４】
【表２】
0003204670.tif 000004
【００３５】
このように、袋の縦方向の引張強さと袋の横方向の引張破断伸びの積が２５以上である実施例は、落下試験が９回までクリアしたが、２５未満である比較例は、引裂き強度が高いクラフト紙を使っているにも係わらず、３回で破袋するものであった。
【符号の説明】
【００３６】
１０  米袋
１０Ｆ  米袋の表面
１０Ｒ  米袋の裏面
１１  封かん部
１２  充填口
１３  外側クラフト紙
１３ｇ  外側クラフト紙の貼合部
１４  内側クラフト紙
１４ｇ  内側クラフト紙の貼合部
１６  口紐
１７  折り返し部
【図１】
0003204670.tif 000005
【図２】
0003204670.tif 000006
【図３】
0003204670.tif 000007
【図４】
0003204670.tif 000008
【図５】
0003204670.tif 000009